(57)【要約】【課題】冷蔵庫と情報処理装置とを通信可能に接続することで冷蔵庫の動作を情報処理装置からも制御可能にしたシステム構成について制御不能となってしまうことを回避することができるようにする。【解決手段】本実施形態に係る冷蔵庫制御システムは、通信機能を有する冷蔵庫と、前記冷蔵庫が通信可能に接続する情報処理装置と、を備え、前記情報処理装置は、所定の動作モードを前記冷蔵庫に設定する装置側操作手段を備え、前記冷蔵庫は、通信不良があった場合に前記所定の動作モードを終了し通常の動作モードに復帰する。【選択図】図１
2019207100.tif 000002
【特許請求の範囲】
【請求項１】
通信機能を有する冷蔵庫と、
前記冷蔵庫が通信可能に接続する情報処理装置と、
を備え、
前記情報処理装置は、所定の動作モードを前記冷蔵庫に設定する装置側操作手段を備え、
前記冷蔵庫は、通信不良があった場合に前記所定の動作モードを終了し通常の動作モードに復帰する冷蔵庫制御システム。
【請求項２】
前記情報処理装置は、予約時間になると前記所定の動作モードの開始指示を前記冷蔵庫に対して行う請求項１に記載の冷蔵庫制御システム。
【請求項３】
通信機能を有する冷蔵庫であって、
当該冷蔵庫が通信可能に接続する情報処理装置とともに冷蔵庫制御システムを構築し、
前記情報処理装置が備える装置側操作手段により、所定の動作モードを設定可能に構成されているとともに、
通信不良があった場合に前記所定の動作モードを終了し通常の動作モードに復帰する冷蔵庫。
【請求項４】
通信機能を有する冷蔵庫が通信可能に接続する情報処理装置であって、
所定の動作モードを前記冷蔵庫に設定する装置側操作手段を備え、
通信不良があった場合に前記所定の動作モードを終了し通常の動作モードに復帰するように構成された前記冷蔵庫とともに冷蔵庫制御システムを構築する情報処理装置。
【発明の詳細な説明】
【技術分野】
【０００１】
本発明の実施形態は、冷蔵庫と情報処理装置とを備えて構築される冷蔵庫制御システム、並びに、この冷蔵庫制御システムを構築する冷蔵庫および情報処理装置に関する。
【背景技術】
【０００２】
例えば特許文献１には、冷蔵庫に通信機能を備え、ネットワークに接続可能に構成することが開示されている。そして、ネットワークに接続されたパソコンなどから、リモコンと同様に、自動製氷機や冷却制御に関する設定情報を通信することが開示されている。このように、冷蔵庫と情報処理装置とを通信可能に接続したネットワークシステムによれば、冷蔵庫の動作を外部の情報処理装置から遠隔により制御することができる。
【先行技術文献】
【特許文献】
【０００３】
【特許文献１】特開２００４−６１０２１号公報
【発明の概要】
【発明が解決しようとする課題】
【０００４】
ところで、近年では、冷蔵庫の多機能化が進められており、冷蔵庫に予め備えられる動作モードとして、例えば、冷凍室を急速に冷却する急速冷凍モード、製氷室を急速に冷却する急速製氷モード、冷蔵庫の消費電力を通常よりも低くして運転する節電モードなどといった多数の動作モードを備えるモデルが考えられている。しかしながら、予め備える動作モードが増えるほど冷蔵庫の構造や制御プログラムが複雑化し、また、製造コストが高くなる。また、ユーザによっては殆ど、あるいは、全く使わない動作モードも存在するため、予め多くの動作モードを備えておいても、ユーザのニーズに応えられない場合もある。また、ユーザのニーズは、刻々と変化するものであるから、予め多くの動作モードを備えておく冷蔵庫では、ニーズの変化に追従できないという課題もある。そこで、冷蔵庫と情報処理装置とを通信可能に接続することで冷蔵庫の動作を情報処理装置からも制御可能にしたシステム構成が考えられている。
【０００５】
そこで、本実施形態は、冷蔵庫と情報処理装置とを通信可能に接続することで冷蔵庫の動作を情報処理装置からも制御可能にしたシステム構成について制御不能となってしまうことを回避することができる冷蔵庫制御システム、並びに、この冷蔵庫制御システムを構築する冷蔵庫および情報処理装置を提供する。
【課題を解決するための手段】
【０００６】
本実施形態の冷蔵庫制御システムは、通信機能を有する冷蔵庫と、この冷蔵庫が通信可能に接続する情報処理装置と、を備える。情報処理装置は、所定の動作モードを冷蔵庫に設定する装置側操作手段を備え、前記冷蔵庫は、通信不良があった場合に前記所定の動作モードを終了し通常の動作モードに復帰する。
【図面の簡単な説明】
【０００７】
【図１】本実施形態に係る冷蔵庫制御システムの構成例を概略的に示すブロック図
【図２】操作パネルの構成例を概略的に示す図
【図３】追加動作モードの動作終了メールの一例を示す図
【図４】追加動作モード設定画面の一例を示す図
【図５】カスタマイズ画面の一例を示す図
【図６】冷蔵庫制御システムによるメイン制御の一例を示すフローチャート
【図７】冷蔵庫制御システムによる接続確認制御の一例を示すフローチャート
【図８】冷蔵庫による動作モードの切替制御の一例を示すフローチャート
【発明を実施するための形態】
【０００８】
以下、冷蔵庫制御システムに係る一実施形態について図面を参照しながら説明する。図１に例示する冷蔵庫制御システム１０は、冷蔵庫１１およびサーバ１２を備える。サーバ１２は、情報処理装置の一例である。この場合、サーバ１２は、ユーザの携帯端末装置１３が通信可能に接続される。即ち、サーバ１２は、その操作入力部および表示出力部として外部の携帯端末装置１３を利用する構成となっている。
【０００９】
冷蔵庫１１は、制御部１４、通信アダプタ１５、操作パネル１６、庫内灯１７などを備える。制御部１４は、マイクロコンピュータを主体として構成されており、冷蔵庫１１の動作全般を制御する。通信アダプタ１５は、冷蔵庫１１を外部のサーバ１２に通信可能に接続するための通信機能を担う。なお、冷蔵庫１１は、通信アダプタ１５を介して携帯端末装置１３とも通信可能に接続することができる。
【００１０】
操作パネル１６は、冷蔵庫側操作部の一例であり、冷蔵庫１１に予め備えられている動作モードを設定するための操作部として機能する。なお、冷蔵庫１１に予め備えられている動作モードとは、例えば工場出荷時やユーザ宅への設置時において当該冷蔵庫１１がデフォルトの機能として備えている動作モードである。
【００１１】
操作パネル１６は、当該操作パネル１６を裏側から照明する例えばＬＥＤなどの照明手段を備えており、表側から見た当該操作パネル１６の明るさを調整可能となっている。庫内灯１７は、庫内照明部の一例であり、冷蔵庫１１の庫内を照明する照明機能を担う。冷蔵庫１１は、庫内灯１７の出力を調整することにより、庫内の明るさを調整可能となっている。
【００１２】
図２に例示するように、この場合、操作パネル１６には、「一気冷凍」モードを選択するためのボタンＢａ、「ドライ」モードを選択するためのボタンＢｂ、「一気製氷」モードを選択するためのボタンＢｃ、「節電」モードを選択するためのボタンＢｄ、「おでかけ」モードを選択するためのボタンＢｅ、「ピークシフト」モードを選択するためのボタンＢｆが設けられている。これら「一気冷凍」モード、「ドライ」モード、「一気製氷」モード、「節電」モード、「おでかけ」モード、「ピークシフト」モードは、何れも、冷蔵庫１１に予め備えられている動作モードの一例である。
【００１３】
「一気冷凍」モードは、冷蔵庫１１が備える図示しない冷凍室を急速に冷却する急速冷凍モードの一例である。「ドライ」モードは、冷蔵庫１１が備える図示しない野菜室内に風を供給しながら冷却することにより野菜室内の野菜類の水分を飛ばしながら冷凍を行う動作モードである。なお、この「ドライ」モードにおける送風は、図示しない送風ファンの駆動により行われる。「一気製氷」モードは、冷蔵庫１１が備える図示しない製氷室を急速に冷却する急速製氷モードの一例である。「節電」モードは、冷蔵庫１１の消費電力を通常よりも低くして運転する動作モードである。「おでかけ」モードは、冷蔵庫１１の扉の開閉が所定時間以上検知されない場合に、冷蔵庫１１を通常よりも低い消費電力で運転する動作モードである。「ピークシフト」モードは、電力需要のピーク時に、消費電力が高くなる運転、例えば、図示しない冷却器に付着した霜を取り除くためにヒータを駆動する除霜運転を行わないようにする機能である。
【００１４】
また、冷蔵庫１１は、制御部１４により制御プログラムを実行することにより、動作終了処理部２１、動作実行報知処理部２２、動作終了報知処理部２３、動作モード切替処理部２４をソフトウェアにより仮想的に実現する。なお、これらの処理部２１〜２４は、ハードウェアにより構成してもよい。
【００１５】
動作終了処理部２１は、冷蔵庫１１とサーバ１２との通信が遮断された場合に、詳しくは後述する「追加動作モード」による動作を強制的に終了するための処理部である。なお、冷蔵庫１１は、詳しくは後述するようにして与えられる追加動作モードの終了指示を受信した場合にも、「追加動作モード」による動作を終了する。動作実行報知処理部２２は、冷蔵庫１１が追加動作モードにより動作している場合に、その旨、つまり、冷蔵庫１１が追加動作モードにより動作中であることを報知する。図２に例示するように、操作パネル１６には通信マークＭが設けられている。動作実行報知処理部２２は、この通信マークＭを点灯あるいは点滅させることにより、冷蔵庫１１が追加動作モードにより動作中であることを視覚的に報知する。
【００１６】
動作終了報知処理部２３は、冷蔵庫１１が追加動作モードによる動作を終了すると、その旨、つまり、追加動作モードによる動作が終了したことを報知する。この場合、動作終了報知処理部２３は、サーバ１２を介して携帯端末装置１３に、例えば図３に示す動作終了メールを通知する。これにより、動作終了報知処理部２３は、携帯端末装置１３を携帯するユーザに、追加動作モードによる動作が終了したことを視覚的に報知する。動作モード切替処理部２４は、冷蔵庫１１が追加動作モードにより動作しているときにおいて操作パネル１６により当該冷蔵庫１１が予め有する動作モードが設定された場合に、冷蔵庫１１の動作モードを、操作パネル１６により設定された動作モードに切り替える。
【００１７】
サーバ１２は、制御部３１、通信部３２などを備える。制御部３１は、マイクロコンピュータを主体として構成されており、サーバ１２の動作全般を制御する。通信部３２は、周知の通信モジュールなどで構成されており、サーバ１２を冷蔵庫１１に通信可能に接続するための通信機能を担う。また、通信部３２は、サーバ１２を携帯端末装置１３に通信可能に接続するための通信機能を担う。
【００１８】
また、サーバ１２は、制御部３１により制御プログラムを実行することにより、装置側操作処理部４１、冷蔵庫制御処理部４２、カスタマイズ処理部４３、動作開始処理部４４、開始時間設定処理部４５をソフトウェアにより仮想的に実現する。なお、これらの処理部４１〜４５は、ハードウェアにより構成してもよい。
【００１９】
装置側操作処理部４１は、冷蔵庫１１の操作パネル１６では設定できない動作モードを追加動作モードとして冷蔵庫１１に追加設定するための処理部である。即ち、装置側操作処理部４１は、携帯端末装置１３から追加動作モードの設定要求信号を受信すると、その携帯端末装置１３の図示しない表示部に、例えば図４に示す追加動作モード設定画面Ｇ１を表示する。なお、携帯端末装置１３は、ユーザにより、追加動作モードの設定を要求するための所定の操作が入力されると、追加動作モードの設定要求信号を出力するようになっている。
【００２０】
この場合、追加動作モード設定画面Ｇ１には、「急速冷蔵」モード、「節電プラス」モード、「夏・お買い物」モード、「プチフローズン」モード、「ソフト解凍」モード、「快速解凍」モード、「野菜冷凍」モード、「カスタマイズ」モードが選択可能に表示されている。これら「急速冷蔵」モード、「節電プラス」モード、「夏・お買い物」モード、「プチフローズン」モード、「ソフト解凍」モード、「快速解凍」モード、「野菜冷凍」モード、「カスタマイズ」モードは、何れも、冷蔵庫１１側の操作パネル１６では設定できない追加動作モードの一例である。この場合、これらの追加動作モードは、ラジオボタンＲＢａ〜ＲＢｈにより択一的に選択可能となっている。
【００２１】
「急速冷蔵」モードは、冷蔵室の設定温度を「強」レベルである例えば２〜４℃、冷蔵室用の送風ファンを「高速」レベルである例えば２０００ｒｐｍとして動作し、動作開始から所定時間である例えば３時間経過後に自動的に動作を終了する追加動作モードである。「節電プラス」モードは、上述した「節電」モードよりもさらに低い消費電力で冷蔵庫１１を運転するものであり、冷蔵室の設定温度を「弱」レベルである例えば６〜８℃、冷凍室の設定温度を「弱」レベルである例えば−１４〜−１６℃、ヒータの駆動デューティー比を１０％として動作し、ユーザによる終了指示により動作を終了する追加動作モードである。
【００２２】
「夏・お買い物」モードは、冷蔵室の設定温度を「強」レベル、冷凍室の設定温度を強レベルである例えば−２０〜−２２℃、冷蔵室用の送風ファンを「高速」レベル、冷凍室用の送風ファンを「高速」レベルである例えば２３００ｒｐｍ、ヒータの駆動デューティー比を１０％として動作し、ユーザによる終了指示により動作を終了する追加動作モードである。「プチフローズン」モードは、冷蔵室の設定温度を「強＋」レベルである例えば−１〜１℃、冷蔵室用の送風ファンを「高速」レベルとして動作し、動作開始から例えば２４時間経過後に自動的に動作を終了する追加動作モードである。「ソフト解凍」モードは、冷凍室の設定温度を「弱」レベル、冷凍室用の送風ファンを「低速」レベルである例えば１５００ｒｐｍとして動作し、ユーザによる終了指示により動作を終了する追加動作モードである。
【００２３】
「快速解凍」モードは、冷蔵室の設定温度を「強」レベル、冷蔵室用の送風ファンを「高速」レベルとして動作し、動作開始から例えば８時間経過後に自動的に動作を終了する追加動作モードである。「野菜冷凍」モードは、冷凍室の設定温度を「弱」レベル、冷凍室用の送風ファンを「軽速」レベルである例えば１２００ｒｐｍとして動作し、動作開始から例えば３時間経過後に自動的に動作を終了する追加動作モードである。「カスタマイズ」モードは、ユーザによりカスタマイズされた設定内容で動作する追加動作モードである。
【００２４】
冷蔵庫制御処理部４２は、追加動作モードが設定された冷蔵庫１１の動作全体を遠隔により制御するための処理部である。即ち、冷蔵庫制御処理部４２は、例えば、追加動作モードの開始指示や終了指示を冷蔵庫１１に対して行うことで、追加動作モードによる冷蔵庫１１の動作を遠隔から制御する。
【００２５】
カスタマイズ処理部４３は、冷蔵庫１１の動作内容をカスタマイズするための処理部である。即ち、カスタマイズ処理部４３は、携帯端末装置１３からカスタマイズ要求信号を受信すると、その携帯端末装置１３の図示しない表示部に、例えば図５に示すカスタマイズ画面Ｇ２を表示する。なお、この場合、携帯端末装置１３は、追加動作モード設定画面Ｇ１を介して「カスタマイズ」モードが選択されると、カスタマイズ要求信号を出力するようになっている。
【００２６】
この場合、カスタマイズ画面Ｇ２には、冷蔵庫１１の冷蔵室の設定温度を調整するための調整部Ｃａ、冷蔵庫１１の冷凍室の設定温度を調整するための調整部Ｃｂ、冷蔵庫１１における結露防止用のヒータの出力を調整するための調整部Ｃｃ、冷蔵庫１１の庫内の明るさを調整するための調整部Ｃｄ、操作パネル１６の明るさを調整するための調整部Ｃｅ、冷蔵室用の送風ファンの出力を調整するための調整部Ｃｆ、冷凍室用の送風ファンの出力を調整するための調整部Ｃｇ、追加動作モードによる動作時間を調整するための調整部Ｃｈ、庫内にミストを供給する図示しないミスト発生装置のオン／オフを制御するための調整部Ｃｊ、庫内に風を導く風路の開度を変化させる図示しないダンパの駆動を調整する調整部Ｃｋが設けられている。
【００２７】
「カスタマイズ」モードによれば、調整部Ｃｄにより庫内灯１７による庫内の照明動作を調整することが可能である。即ち、この「カスタマイズ」モードは、照明調整モードを含む追加動作モードである。
【００２８】
動作開始処理部４４は、所定の開始指示が入力されたことを条件に、追加動作モードによる冷蔵庫１１の動作を開始する。即ち、動作開始処理部４４は、携帯端末装置１３から追加動作モードの開始要求信号が入力されると、冷蔵庫制御処理部４２に対し追加動作モードの開始を要求する。この要求に応じて、冷蔵庫制御処理部４２は、冷蔵庫１１に対し追加動作モードの開始指示を行う。この場合、動作開始処理部４４は、追加動作モード設定画面Ｇ１においてスタートボタンＢｐが操作された場合、または、カスタマイズ画面Ｇ２においてスタートボタンＢｐが操作された場合に、開始要求信号を出力するようになっている。
【００２９】
開始時間設定処理部４５は、追加動作モードによる冷蔵庫１１の動作を開始する開始時間を設定するための処理部であり、いわゆる予約機能を実現する。即ち、開始時間設定処理部４５は、携帯端末装置１３から開始時間が入力されると、その開始時間を冷蔵庫制御処理部４２に通知する。冷蔵庫制御処理部４２は、図示しないタイマにより現在時刻を監視しており、現在時刻が、通知された開始時間に達すると、冷蔵庫１１に対し追加動作モードの開始指示を行う。なお、携帯端末装置１３には、図示しない予約設定画面が表示されるようになっており、この予約設定画面を介して入力された開始時間をサーバ１２に通知するようになっている。
【００３０】
上述した追加動作モード設定画面Ｇ１において、ユーザが何れかの追加動作モードを選択すると、携帯端末装置１３は、選択された追加動作モードをサーバ１２に通知する。そして、サーバ１２は、通知された追加動作モードの設定指示を冷蔵庫１１に対して行う。そして、冷蔵庫１１は、受信した設定指示が指定する追加動作モードを設定する。これにより、冷蔵庫１１は、ユーザにより選択された追加動作モードによる運転のスタンバイ状態となる。そして、スタンバイ状態となった冷蔵庫１１は、サーバ１２から開始指示を受信することにより、追加動作モードによる運転を開始する。
【００３１】
なお、追加動作モードによる運転に必要な情報、例えば制御プログラムやパラメータ情報などといった各種情報は、予め冷蔵庫１１に備えておいてもよいし、設定指示とともに冷蔵庫１１に与えるようにしてもよい。但し、追加動作モードによる運転に必要な情報を予め冷蔵庫１１に備える構成であっても、操作パネル１６からの追加動作モードの設定はできないものとする。
【００３２】
そして、追加動作モード設定画面Ｇ１において、ユーザによりスタートボタンＢｐが操作されると、携帯端末装置１３は、その旨をサーバ１２に通知する。そして、サーバ１２は、追加動作モードの開始指示を冷蔵庫１１に対して行う。これに応じて、冷蔵庫１１は、設定されている追加動作モードによる運転を開始する。
【００３３】
また、追加動作モード設定画面Ｇ１において、ユーザによりストップボタンＢｑが操作されると、携帯端末装置１３は、その旨をサーバ１２に通知する。そして、サーバ１２は、追加動作モードの終了指示を冷蔵庫１１に対して行う。これに応じて、冷蔵庫１１は、実行中の追加動作モードによる運転を終了する。
【００３４】
また、上述したカスタマイズ画面Ｇ２において、ユーザが調整部Ｃａ〜Ｃｋにより各事項を調整しスタートボタンＢｐを操作すると、携帯端末装置１３は、調整後の内容をサーバ１２に通知する。そして、サーバ１２は、通知された調整内容による調整指示を冷蔵庫１１に対して行う。そして、冷蔵庫１１は、受信した調整指示が指定する調整内容に基づいて動作する。これにより、冷蔵庫１１は、ユーザにより調整された内容で動作するようになる。また、カスタマイズ画面Ｇ２において、ユーザによりストップボタンＢｑが操作されると、携帯端末装置１３は、その旨をサーバ１２に通知する。そして、サーバ１２は、カスタマイズモードによる運転の終了指示を冷蔵庫１１に対して行う。これに応じて、冷蔵庫１１は、実行中のカスタマイズモードによる運転を終了する。
【００３５】
次に、冷蔵庫制御システム１０による制御内容の一例について説明する。図６に例示するように、サーバ１２は、携帯端末装置１３を介して追加動作モードが選択されると、その追加動作モードの設定指示を冷蔵庫１１に対して行う（Ａ１）。冷蔵庫１１は、サーバ１２から設定指示を受信すると、その設定指示が指定する追加動作モードを設定する（Ａ２）。即ち、冷蔵庫１１は、指定された追加動作モードによる動作のスタンバイ状態となる。
【００３６】
サーバ１２は、携帯端末装置１３から開始要求信号を受信すると、あるいは、現在時刻が設定された予約時間に達すると、設定した追加動作モードの開始指示を冷蔵庫１１に対して行う（Ａ３）。冷蔵庫１１は、サーバ１２から追加動作モードの開始指示を受信すると（Ａ４：ＹＥＳ）、サーバ１２に正常応答信号を送信し（Ａ５）、設定されている追加動作モードによる動作を開始する（Ａ６）。
【００３７】
サーバ１２は、冷蔵庫１１から正常応答信号が得られない場合には（Ａ７：ＮＯ）、再び、追加動作モードの開始指示を冷蔵庫１１に対して行う。そして、サーバ１２は、冷蔵庫１１から正常応答信号が得られた場合には（Ａ７：ＹＥＳ）、所定の動作時間が経過したか否かを監視する（Ａ８）。なお、この動作時間は、実行中の動作モードについて予め動作時間が決められている場合には、その時間が設定され、予め決められていない場合には、例えば実行中の動作モードに応じてサーバ１２が適宜設定することができる。そして、サーバ１２は、所定の動作時間が経過すると（Ａ７：ＹＥＳ）、追加動作モードの終了指示を冷蔵庫１１に対して行う（Ａ９）。
【００３８】
冷蔵庫１１は、サーバ１２から追加動作モードの終了指示を受信すると（Ａ１０：ＹＥＳ）、サーバ１２に正常応答信号を送信し（Ａ１１）、設定された追加動作モードによる動作を終了する（Ａ１２）。サーバ１２は、冷蔵庫１１から正常応答信号が得られない場合には（Ａ１３：ＮＯ）、再び、追加動作モードの終了指示を冷蔵庫１１に対して行う。そして、サーバ１２は、冷蔵庫１１から正常応答信号が得られた場合には（Ａ１３：ＹＥＳ）、この制御を終了する。
【００３９】
図６に例示する一連の制御において、冷蔵庫１１は、追加動作モードを開始すると、サーバ１２との接続状態の監視を並列的に実行する。即ち、図７に例示するように、冷蔵庫１１は、追加動作モードを開始すると、サーバ１２に接続確認信号を送信する（Ｂ１）。サーバ１２は、冷蔵庫１１から接続確認信号を受信すると、冷蔵庫１１に正常応答信号を送信する（Ｂ２）。冷蔵庫１１は、サーバ１２から正常応答信号が得られた場合には（Ｂ３：ＹＥＳ）、再び、サーバ１２に接続確認信号を送信する（Ｂ１）。
【００４０】
一方、サーバ１２から正常応答信号が得られない場合には（Ｂ３：ＮＯ）、冷蔵庫１１は、接続確認信号を送信してから所定のタイムアウト時間が経過したか否かを確認する（Ｂ４）。なお、このタイムアウト時間は、適宜変更して設定することができる。所定のタイムアウト時間が経過していない場合には（Ｂ４：ＮＯ）、冷蔵庫１１は、再び、正常応答信号の受信の有無を確認する（Ｂ３）。一方、所定のタイムアウト時間が経過している場合には（Ｂ４：ＹＥＳ）、冷蔵庫１１は、実行中の追加動作モードを強制的に終了する（Ｂ５）。
【００４１】
また、図６に例示する一連の制御において、冷蔵庫１１は、追加動作モードを開始すると、操作パネル１６による動作モードの設定操作の有無の監視を並列的に実行する。即ち、図８に例示するように、冷蔵庫１１は、追加動作モードを開始すると、操作パネル１６を介して、冷蔵庫１１が予め備える動作モードが設定されたか否かを監視する（Ｃ１）。そして、操作パネル１６を介して動作モードが設定されると、冷蔵庫１１は、実行中の追加動作モードを終了し、操作パネル１６を介して設定された動作モードに切り替える（Ｃ２）。即ち、冷蔵庫１１は、追加動作モードの実行中に、当該冷蔵庫１１が予め備える動作モードが選択された場合には、その選択された動作モードを優先する。
【００４２】
本実施形態によれば、冷蔵庫１１と通信可能に接続されるサーバ１２は、冷蔵庫１１の操作パネル１６では設定できない動作モードを追加動作モードとして冷蔵庫１１に設定する装置側操作処理部４１を備える。この構成によれば、冷蔵庫１１に予め多くの動作モードを備えなくとも、必要に応じて動作モードを適宜追加することができる。
【００４３】
また、本実施形態によれば、サーバ１２は、追加動作モードが設定された冷蔵庫１１の動作を制御する冷蔵庫制御処理部４２を備える。即ち、追加動作モードによる冷蔵庫１１の動作を、当該冷蔵庫１１の制御部ではなく外部の制御部により行うようにした。この構成によれば、追加動作モードを追加設定する場合であっても、冷蔵庫１１の構成やプログラムを更新する必要がない。
【００４４】
また、本実施形態によれば、サーバ１２は、冷蔵庫１１の動作内容をカスタマイズするカスタマイズ処理部４３を備える。この構成によれば、冷蔵庫１１をユーザのニーズに合わせた設定内容で動作させることができる。
【００４５】
また、本実施形態によれば、「カスタマイズ」モードにおける調整部Ｃｄにより、庫内灯１７による照明動作を調整する照明調整モードが実現されている。通常の冷蔵庫においては、庫内を照明する庫内灯の出力調整は、不能あるいは微調整不能に構成されることが一般的である。本実施形態によれば、冷蔵庫側では調整することができない庫内灯の出力調整を、冷蔵庫１１の外部の制御部から行うことができる。よって、ユーザの要求に応じた庫内灯の出力調整が可能となる。
【００４６】
また、本実施形態によれば、サーバ１２は、所定の開始指示が入力されたことを条件に、追加動作モードによる冷蔵庫１１の動作を開始する動作開始処理部４４を備える。この構成によれば、追加動作モードによる冷蔵庫１１の動作開始タイミングを、外部の制御部から高精度で指示することができる。
【００４７】
また、本実施形態によれば、サーバ１２は、追加動作モードによる冷蔵庫１１の動作を開始する開始時間を設定する開始時間設定処理部４５を備える。即ち、本実施形態によれば、冷蔵庫制御システム１０は、追加動作モードによる動作開始時間を予約する予約機能を備える。従って、例えば「快速解凍」モードにおいてこの予約機能を利用することにより、ユーザの希望する時間に解凍を終了することができる。
【００４８】
また、本実施形態によれば、冷蔵庫１１は、サーバ１２との通信が遮断された場合に追加動作モードによる動作を強制的に終了する動作終了処理部２１を備える。追加動作モードによる冷蔵庫１１の動作を外部のサーバ１２から行うシステム構成において、追加動作モードによる動作中に冷蔵庫１１とサーバ１２との通信が遮断されると、それ以降、サーバ１２からの冷蔵庫１１のコントロールが不可能となる。本実施形態によれば、このような通信遮断時には、冷蔵庫１１自ら追加動作モードを終了し通常の動作モードに復帰する。従って、通信遮断後に、冷蔵庫１１が追加動作モードを実行したまま制御不能となってしまうことを回避することができる。
【００４９】
また、本実施形態によれば、冷蔵庫１１は、追加動作モードによる動作を実行していることを報知する動作実行報知処理部２２を備える。この構成によれば、ユーザは、動作実行報知処理部２２による報知内容に基づいて、冷蔵庫１１が追加動作モードにより動作しているのか否かを確認することができる。
【００５０】
また、本実施形態によれば、冷蔵庫１１は、追加動作モードによる動作が終了したことを報知する動作終了報知処理部２３を備える。この構成によれば、ユーザは、動作終了報知処理部２３による報知内容に基づき、冷蔵庫１１が追加動作モードによる動作を終了したのか否かを確認することができる。
【００５１】
また、本実施形態によれば、冷蔵庫１１は、追加動作モードにより動作しているときにおいて操作パネル１６を介して当該冷蔵庫１１が予め有する動作モードが設定された場合には、動作モード切替処理部２４により、実行中の追加動作モードに代えて、操作パネル１６により設定された動作モードに切り替える。即ち、操作パネル１６を介して設定される動作モードは、冷蔵庫１１の近傍に存在するユーザが実際に冷蔵庫１１の貯蔵状況や周囲の状況などを確認した上で設定した動作モードであると推定される。そのため、操作パネル１６を介して設定された動作モードを優先的に有効とすることで、実際の冷蔵庫１１の状況に応じた動作モードで冷蔵庫１１を運転することができる。
【００５２】
なお、本実施形態は、上述した一実施形態に限定されるものではなく、例えば次のように変形または拡張することができる。
例えば冷蔵庫１１に図示しないスピーカを備え、そのスピーカからの音声により、冷蔵庫１１が追加動作モードにより動作中であることを報知してもよい。また、例えば携帯端末装置１３が備える図示しないスピーカからの音声により、冷蔵庫１１が追加動作モードによる動作を終了したことを報知してもよい。また、冷蔵庫１１とサーバ１２との接続は、無線接続であってもよいし、有線接続であってもよい。冷蔵庫１１は、サーバ１２に相当する機能を有する情報処理装置を内蔵する構成であってもよい。即ち、冷蔵庫制御システムは、冷蔵庫の本体内部に構築してもよい。
【００５３】
サーバ１２は、例えば、サーバ、携帯通信端末、パソコン、タブレットなど、冷蔵庫１１を制御することが可能なものであれば種々の装置類で構成することができる。また、サーバ１２と携帯端末装置１３とからなる複合体を本実施形態における情報処理装置と定義してもよい。
【００５４】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
図面中、１０は冷蔵庫制御システム、１１は冷蔵庫、１２はサーバ（情報処理装置）、１６は操作パネル（冷蔵庫側操作部）、１７は庫内灯（庫内照明部）、２１は動作終了処理部（動作終了手段）、２２は動作実行報知処理部（動作実行報知手段）、２３は動作終了報知処理部（動作終了報知手段）、２４は動作モード切替処理部（動作モード切替手段）、４１は装置側操作処理部（装置側操作手段）、４２は冷蔵庫制御処理部（冷蔵庫制御手段）、４３はカスタマイズ処理部（カスタマイズ手段）、４４は動作開始処理部（動作開始手段）、４５は開始時間設定処理部（開始時間設定手段）を示す。
【図１】
2019207100.tif 000003
【図２】
2019207100.tif 000004
【図３】
2019207100.tif 000005
【図４】
2019207100.tif 000006
【図５】
2019207100.tif 000007
【図６】
2019207100.tif 000008
【図７】
2019207100.tif 000009
【図８】
2019207100.tif 000010